(57)【要約】【課題】  細断屑を均等に均し屑箱の隅々まで収納することにより、屑満杯までの間の煩わしい人手による屑均し作業からユーザーを開放するシュレッダーの屑均し装置を提供する。【解決手段】  シュレッダーの細断カッターの下方に取付けられ、屑箱内に堆積する細断屑を平らに均すための屑均し装置において、枠体と、先端部が前記堆積した細断屑に対して上下方向に接離自在且つ左右にスイング運動可能となるように、並列垂下状態で前記枠体に取り付けられた複数の屑均し板と、前記枠体と前記屑均し板とを連結するリンク機構と、前記リンク機構の駆動リンクに駆動力を与える駆動手段と、を有し、前記屑均し板の先端部軌道が変形楕円を描くことで前記屑箱内に堆積する細断屑が平らに均されるようにしてなるようにした。【選択図】図１
2014171947.tif 000002
【特許請求の範囲】
【請求項１】
シュレッダーの細断カッターの下方に取付けられ、屑箱内に堆積する細断屑を平らに均すための屑均し装置において、
枠体と、
先端部が前記堆積した細断屑に対して上下方向に接離自在且つ左右にスイング運動可能となるように、並列垂下状態で前記枠体に取り付けられた複数の屑均し板と、
前記枠体と前記屑均し板とを連結するリンク機構と、
前記リンク機構の駆動リンクに駆動力を与える駆動手段と、
を有し、
前記屑均し板の先端部軌道が変形楕円を描くことで前記屑箱内に堆積する細断屑が平らに均されるようにしてなることを特徴とするシュレッダーの屑均し装置。
【請求項２】
前記リンク機構が、前記枠体の一面に設けられた一対の第一４節リンクと前記第一４節リンクに相対向して前記枠体の他面に設けられた一対の第二４節リンクとから構成され、
前記第一４節リンクが、
枠体の一面に取り付けられた一対の第一クランク軸と、
前記第一クランク軸に取り付けられた一対の第一短尺クランクアームと、
前記一対の第一短尺クランクアームに掛架連結せしめられてなる第一長尺クランクアームと、
前記第一長尺クランクアームに並列垂下状態で取り付けられた複数の取り付けガイド部と、
を備え、
前記取り付けガイド部が長孔部を有し、前記長孔部内を摺動可能に係合されるスライドピンが前記枠体の一面に取り付けられ、前記取り付けガイド部の基端部が前記第一長尺クランクアームに回動可能に軸支されてなり、
前記第二４節リンクが、
枠体の他面に取り付けられた一対の第二クランク軸と、
前記第二クランク軸に取り付けられた一対の第二短尺クランクアームと、
前記一対の第二短尺クランクアームに掛架連結せしめられてなる第二長尺クランクアームと、
前記第二長尺クランクアームに並列垂下状態で取り付けられた複数の取り付けガイド部と、
を備え、
前記第一４節リンクに対応して対称的に設けられてなることを特徴とする請求項１記載のシュレッダーの屑均し装置。
【請求項３】
前記複数の屑均し板の先端部軌道同士が、接触又は重複するようにスイング運動してなることを特徴とする請求項１又は２記載のシュレッダーの屑均し装置。
【発明の詳細な説明】
【技術分野】
【０００１】
本発明は、廃棄用紙などの被細断物を細断するシュレッダーの屑均し装置に関し、より詳しくはシュレッダーの細断カッターの下方に取付けられ、屑箱内に堆積する細断屑を平らに均すための屑均し装置に関する。
【背景技術】
【０００２】
シュレッダーは、不要文書等の被細断物をその内容の判別が不能までに細断刃で細断する機械である。シュレッダー本体の上部には、被細断物を投入するための投入口が設けられており、前記投入口に投入された被細断物を細断するための細断刃が設けられている。
【０００３】
シュレッダーに投入された紙葉類は細断カッターで細断された後、カッター下部に配置された屑箱内に落下する。このとき細断屑は屑箱内で山状に溜まり、この部分と屑箱の隅の部分では溜り具合に大きな差ができる。この状態では定期的に人手による屑均しが必要となり、煩雑な作業として改善が求められている。
【０００４】
従来、屑均し手段を備えたシュレッダーとして、例えば特許文献１に記載されたシュレッダーが提案されている。特許文献１では、図８のように複数の屑均し板１０１の集合体１０２を水平を保ちつつ円運動を行う屑均し装置が開示されている。
【０００５】
また、例えば特許文献２に記載されたシュレッダーも提案されている。特許文献２では、図９のように回転する複数の屑均し板２０１による屑均し装置が開示されている。
【０００６】
図８の装置においては、屑均し板１０１の先端部の軌道１０４は円運動となり、隣接する屑均し板との間に細断屑１０５の山ができてしまい、均一に細断屑を均すのに時間がかかってしまう。この細断屑の山を解消するには、屑均し板の集合体１０２を円運動させるクランクアーム１０３を長くして円運動の半径を大きくすることが考えられるが、装置が大型化して屑箱が小さくなり屑収容量が減少してしまう。また、屑均し板１０１の間隔を狭くして円運動の軌道１０４を重ねることで細断屑の山を解消することも考えられるが、屑均し板１０１の間隔が狭くなると上部から下部への細断屑の通りが悪くなり、屑詰まりを起こす恐れがある。
【０００７】
図９の装置においては、その構造上回転する屑均し板２０１の間隔を狭く、また屑均し板２０１自体を長くする訳にはいかず、必ず細断屑の山２０２ができてしまい均一に均すには時間を要する問題があった。
【先行技術文献】
【特許文献】
【０００８】
【特許文献１】特開２００４−３５１２７３
【特許文献２】特開平１０−２７７４１９
【発明の概要】
【発明が解決しようとする課題】
【０００９】
本発明は、上記従来技術の問題点に鑑みてなされたもので、細断屑を均等に均し屑箱の隅々まで収納することにより、屑満杯までの間の煩わしい人手による屑均し作業からユーザーを開放するシュレッダーの屑均し装置を提供することを目的とする。
【課題を解決するための手段】
【００１０】
上記課題を解決するために、本発明のシュレッダーの屑均し装置は、シュレッダーの細断カッターの下方に取付けられ、屑箱内に堆積する細断屑を平らに均すための屑均し装置において、枠体と、先端部が前記堆積した細断屑に対して上下方向に接離自在且つ左右にスイング運動可能となるように、並列垂下状態で前記枠体に取り付けられた複数の屑均し板と、前記枠体と前記屑均し板とを連結するリンク機構と、前記リンク機構の駆動リンクに駆動力を与える駆動手段と、を有し、前記屑均し板の先端部軌道が変形楕円を描くことで前記屑箱内に堆積する細断屑が平らに均されるようにしてなることを特徴とする。
【００１１】
また、前記リンク機構が、前記枠体の一面に設けられた一対の第一４節リンクと前記第一４節リンクに相対向して前記枠体の他面に設けられた一対の第二４節リンクとから構成され、前記第一４節リンクが、枠体の一面に取り付けられた一対の第一クランク軸と、前記第一クランク軸に取り付けられた一対の第一短尺クランクアームと、前記一対の第一短尺クランクアームに掛架連結せしめられてなる第一長尺クランクアームと、前記第一長尺クランクアームに並列垂下状態で取り付けられた複数の取り付けガイド部と、を備え、前記取り付けガイド部が長孔部を有し、前記長孔部内を摺動可能に係合されるスライドピンが前記枠体の一面に取り付けられ、前記取り付けガイド部の基端部が前記第一長尺クランクアームに回動可能に軸支されてなり、前記第二４節リンクが、枠体の他面に取り付けられた一対の第二クランク軸と、前記第二クランク軸に取り付けられた一対の第二短尺クランクアームと、前記一対の第二短尺クランクアームに掛架連結せしめられてなる第二長尺クランクアームと、前記第二長尺クランクアームに並列垂下状態で取り付けられた複数の取り付けガイド部と、を備え、前記第一４節リンクに対応して対称的に設けられてなるように構成するのが好適である。
【００１２】
さらに、前記複数の屑均し板の先端部軌道同士が、接触又は重複するようにスイング運動してなるのが好ましい。すなわち、本発明では、細断屑を平らに均す屑均し板の先端部軌道が横長の変形楕円となるが、この軌道が隣接する屑均し板の軌道と接触するか又は重なるように構成するのが好ましい。これにより屑均し板間に溜まる細断屑の山を一回の運動サイクルで解消することができ、大きな屑均し効果を得ることができるという利点がある。
【発明の効果】
【００１３】
本発明のシュレッダーの屑均し装置によれば、細断屑を均等に均し屑箱の隅々まで収納することにより、屑満杯までの間の煩わしい人手による屑均し作業からユーザーを開放するシュレッダーの屑均し装置を提供することができるという著大な効果を奏する。
【図面の簡単な説明】
【００１４】
【図１】本発明のシュレッダーの屑均し装置の一つの実施の形態を示す概略斜視図である。
【図２】屑均し板の１運動サイクルにおけるスイング運動の軌道を示す動作説明図である。
【図３】本発明の屑均し装置全体の動作図を示す概略図である。
【図４】本発明の屑均し装置における複数の屑均し板の先端部の軌道同士が、接触又は重複するようにスイング運動する状態を示す説明図であり、（ａ）が接触するスイング運動（ｂ）が重複するスイング運動を示す。
【図５】本発明の屑均し装置における複数の屑均し板が扇状に並列垂下せしめられている状態を示す概略拡大図である。
【図６】図５の複数の屑均し板がスイング運動している様子を示す概略拡大図である。
【図７】本発明のシュレッダーの屑均し装置の別の実施の形態を示す概略斜視図である。
【図８】従来のシュレッダーの屑均し装置を示す概略側面図である。
【図９】従来のシュレッダーの屑均し装置を示す概略側面図である。
【発明を実施するための形態】
【００１５】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１６】
図１〜図６に、本発明のシュレッダーの屑均し装置の一つの実施の形態を示す。図１〜図６おいて、符号１０Ａは本発明のシュレッダーの屑均し装置を示す。シュレッダーの屑均し装置１０Ａは、シュレッダーの細断カッターの下方に取付けられ、屑箱内に堆積する細断屑を平らに均すための屑均し装置である。
【００１７】
そして、シュレッダーの屑均し装置１０Ａは、枠体１２と、先端部１４が堆積した細断屑に対して上下方向に接離自在且つ左右にスイング運動可能となるように、並列垂下状態で前記枠体１２に取り付けられた複数の屑均し板１６と、前記枠体１２と前記屑均し板１６とを連結するリンク機構１８と、前記リンク機構１８の駆動リンク２０に駆動力を与える駆動手段２２と、を有し、前記屑均し板１６の先端部１４の軌道が変形楕円を描くことで前記屑箱内に堆積する細断屑が平らに均されるように構成されている。
【００１８】
さらに具体的には、前記リンク機構１８が、前記枠体１２の一面に設けられた一対の第一４節リンク２４ａ，２４ｂと前記第一４節リンク２４ａ，２４ｂに相対向して前記枠体１２の他面に設けられた一対の第二４節リンク２６ａ，２６ｂとから構成されている。
【００１９】
第一４節リンク２４ａ，２４ｂは、枠体１２の一面に取り付けられた一対の第一クランク軸２８ａ，２８ｂと、前記第一クランク軸２８ａ，２８ｂに取り付けられた一対の第一短尺クランクアーム３０ａ，３０ｂと、前記一対の第一短尺クランクアーム３０ａ，３０ｂに掛架連結せしめられてなる第一長尺クランクアーム３２と、前記第一長尺クランクアーム３２に並列垂下状態で取り付けられた複数の取り付けガイド部３４と、を備え、前記取り付けガイド部３４が長孔部３６を有し、前記長孔部３６内を摺動可能に係合されるスライドピン３８が前記枠体１２の一面に取り付けられ、前記取り付けガイド部３４の基端部４０が前記第一長尺クランクアーム３２に回動可能に軸支されてなる。図示例では、取り付けガイド部３４の基端部４０は第一長尺クランクアーム３２にピン４２によって回動可能に軸支されてなる。
【００２０】
前記第二４節リンク２６ａ，２６ｂは、枠体１２の他面に取り付けられた一対の第二クランク軸４４ａ，４４ｂと、前記第二クランク軸４４ａ，４４ｂに取り付けられた一対の第二短尺クランクアーム４６ａ，４６ｂと、前記一対の第二短尺クランクアーム４６ａ，４６ｂに掛架連結せしめられてなる第二長尺クランクアーム４８と、前記第二長尺クランクアーム４８に並列垂下状態で取り付けられた複数の取り付けガイド部５０と、を備え、前記第一４節リンク２４ａ，２４ｂに対応して対称的に設けられてなる。
【００２１】
枠体１２の駆動手段２２としては、図示例ではモーター５２が取付けられており、このモーター５２の出力軸には駆動リンク２０を含む第一４節リンク２４ａ，２４ｂが取付けられており、一対の第一短尺クランクアーム３０ａ，３０ｂは連結ベルト５４によって連動せしめられる。そして、連結シャフト５６ａ，５６ｂに取り付けられたプーリー５８ａ，５８ｂを回転させる。
【００２２】
この第一４節リンク２４ａ，２４ｂによるクランク機構の回転はプーリー５８ａ，５８ｂに掛架せしめられた連結ベルト５４を介して、対を成す反対側のクランク機構である第二４節リンク２６ａ，２６ｂを回転させる。そして、これにより、第一長尺クランクアーム３２と前記第二長尺クランクアーム４８との間に並列垂下状態で取り付けられた複数の屑均し板１６が第一長尺クランクアーム３２及び第二長尺クランクアーム４８のピンを軸に振り子状にスイング運動せしめられる。このとき、屑均し板１６は、上下方向に接離自在且つ左右にスイング運動する。
【００２３】
モーター５２の出力軸に取付けられたクランク機構の円運動は、第一長尺クランクアーム３２と前記第二長尺クランクアーム４８の水平を維持した状態での円運動に変換される。この第一長尺クランクアーム３２と前記第二長尺クランクアーム４８との間に取付けられた屑均し板１６の基端部は第一長尺クランクアーム３２と前記第二長尺クランクアーム４８と同じ円運動を行うが、屑均し板１６に設けられた取り付けガイド部５０の長孔部３６とスライドピン３８との関係により動作が規制され、屑均し板１６の先端部では上下運動を加えた往路と復路に上下差を持つ振り子運動を行うことになる。
【００２４】
図２（ａ）〜（ｉ）は、屑均し板１６単体の動作を詳説した図であり、リンク機構１８によるクランク機構の第一短尺クランクアーム３０ｂが４５°ずつ右回転した様子を（ａ）〜（ｉ）の順に表している。
【００２５】
第一短尺クランクアーム３０ｂは第一クランク軸２８ｂを中心に右回転し、この第一短尺クランクアーム３０ｂと連結した第一長尺クランクアーム３２は水平状態を保ったままで円運動を行う。この第一長尺クランクアーム３２に取付けられた屑均し板１６の取り付けガイド部３４の基端部４０は第一長尺クランクアーム３２と同様に円運動を行うが、スライドピン３８が屑均し板１６の取り付けガイド部３４に開穿された長孔部３６に摺動可能に係合せしめられていることによりその動きが規制され、屑均し板１６の先端部１４では往路と復路に上下差を持つ振り子状にスイング運動を行うことになる。
【００２６】
図２（ａ）〜（ｉ）において、符号Ｏは、屑均し板１６の先端部１４の振り子状スイング運動の軌道を示す。図２（ａ）〜（ｉ）では、第一短尺クランクアーム３０ｂの各角度における屑均し板１６の位置関係が図示され、屑均し板１６の先端部１４が軌道Ｏ上を移動する状況が明示されている。この振り子状スイング運動の軌道Ｏは屑均し板１６の長さを変えることにより変えることができることは勿論、第一短尺クランクアーム３０ｂの長さ、スライドピン３８と屑均し板１６の第一長尺クランクアーム３２への取付部の距離を変更することで自由に設定できる利点がある。
【００２７】
図３に、上記運動を行う屑均し板１６を複数配置した本発明の屑均し装置１０Ａの動作を表す。図３によく示される如く、本発明の屑均し装置では、屑均し板１６の先端部１４の軌道が変形楕円を描くこととなり、これにより、シュレッダーの屑箱内に堆積する細断屑が平らに均されるように構成されている。
【００２８】
また、本発明の屑均し装置では、複数の屑均し板１６の先端部１４の軌道同士が、図４に示すように、接触又は重複するようにスイング運動してなるのが好適である。
【００２９】
複数の屑均し板１６の先端部１４の軌道同士が、重複するようにスイング運動する例を図４（ａ）に示す。図４（ａ）では、屑均し板１６の先端部１４の軌道は隣接する屑均し板１６の先端部１４の軌道と重なるように設定されている。
【００３０】
複数の屑均し板１６の先端部１４の軌道同士が、接触するようにスイング運動する例を図４（ｂ）に示す。図４（ｂ）では、屑均し板１６の先端部１４の軌道は隣接する屑均し板１６の先端部１４の軌道と接触するように設定されている。
【００３１】
このように、複数の屑均し板１６の先端部１４の軌道同士が、図４に示すように、接触又は重複するようにスイング運動させることで、図４における細断屑６０は隣接する屑均し板１６の軌道範囲内に移動し、次の回転サイクルにて更に隣の軌道範囲内に移動することとなり、屑均しの効果が増大することになる。なお、図４（ａ）に示した屑均し板１６の先端部１４のスイング角度θは、４５°〜１２０°が好適である。スイング角度θを調整することで、複数の屑均し板１６の先端部１４の軌道同士が、接触したり、重複したりするように自由に調整することができる。
【００３２】
また、図５に示すように、複数の屑均し板１６の先端部１４が、中央の屑均し板１６に向かって寄り合うように構成するのが好適である。図５及び図６の例では、分かり易くするために、屑均し板１６の取り付けガイド部５０のみを示した。すなわち、図５で取り付けガイド部５０が側面視扇状となっていることからわかるように、複数の屑均し板１６が側面視扇状となるのが好適である。このように構成することで、図６に示すように、複数の屑均し板１６のスイング運動に位相差が生じ、屑均しの効果が増大することになる。そして、取り付ける屑均し板同士の間隔を変えることで、屑均しの際に動かす屑の量を増やしたりすることが可能である。
【００３３】
図７に、本発明のシュレッダーの屑均し装置の別の実施の形態を示す。図７において、符号１０Ｂは本発明のシュレッダーの屑均し装置を示す。
【００３４】
シュレッダーの屑均し装置１０Ｂは、上記動作を実現させるための別手段であり、シュレッダーの屑均し装置１０Ａにおいて、第一クランク軸２８ａと第一クランク軸２８ｂとを連結する連結ベルト５４を削除した方法である。
【００３５】
シュレッダーの屑均し装置１０Ｂでは、駆動手段６２であるモーター６４は枠体６６の側面中央部に配置されており、モーター６４の出力軸に取付けられたクランクアーム６８は第一長尺クランクアーム７０の中心に取付けられている。この第一長尺クランクアーム７０の中心に取付けられたクランクアーム６８と第一長尺クランクアーム７０の両端に取付けられた対を成す第一クランク軸７２ａと第一クランク軸７２ｂの３点で第一長尺クランクアーム７０を支持することになり、図１の連結ベルト５４を削除しても第一長尺クランクアーム７０を水平状態を保持したままでの円運動を実現することができる。その他の構成については上述したシュレッダーの屑均し装置１０Ａと同じであり、全く同じ動作を行うため、再度の詳述については省略する。
【００３６】
このように、本発明の屑均し装置では、屑均し板の先端部の軌道が変形楕円を描くこととなり、これにより、シュレッダーの屑箱内に堆積する細断屑が平らに均されるように構成されている。
【符号の説明】
【００３７】
１０Ａ，１０Ｂ：本発明の屑均し装置、１２，６６：枠体、１４：先端部、１６：屑均し板、１８：リンク機構、２０：駆動リンク、２２，６２：駆動手段、２４ａ，２４ｂ：第一４節リンク、２６ａ，２６ｂ：第二４節リンク、２８ａ，２８ｂ，７２ａ，７２ｂ：第一クランク軸、３０ａ，３０ｂ：第一短尺クランクアーム、３２，７０：第一長尺クランクアーム、３４：取り付けガイド部、３６：長孔部、３８：スライドピン、４０：取り付けガイド部の基端部、４２：ピン、４４ａ，４４ｂ：第二クランク軸、４６ａ，４６ｂ：第二短尺クランクアーム、４８：第二長尺クランクアーム、５０：取り付けガイド部、５２，６４：モーター、５４：連結ベルト、５６ａ，５６ｂ：連結シャフト、５８ａ，５８ｂ：プーリー、６０：細断屑、６８：クランクアーム、１０１：従来の装置の屑均し板、１０２：従来の装置の屑均し板集合体、１０３：従来の装置のクランクアーム、１０４：従来の装置の屑均し板先端部の軌道、１０５，２０２：従来の装置の細断屑の山、２０１：従来の装置の回転する屑均し板、Ｏ：振り子状スイング運動の軌道、θ：スイング角度。
【図３】
2014171947.tif 000003
【図４】
2014171947.tif 000004
【図８】
2014171947.tif 000005
【図９】
2014171947.tif 000006
【図１】
2014171947.tif 000007
【図２】
2014171947.tif 000008
【図５】
2014171947.tif 000009
【図６】
2014171947.tif 000010
【図７】
2014171947.tif 000011